(57)【要約】【課題】  擬似的な燃焼状態を写実的に表示することが可能な暖房機を提供することにある。【解決手段】  筐体１０の内部には、暖房機１を薪ストーブに模するため、写実的な炎の映像を表示することが可能な画像表示装置が備えられている。具体的には、筐体１０の下部に備えられ、光学像を射出可能なプロジェクタ４０と、プロジェクタ４０から射出された光学像を反射する反射ミラー４１と、反射ミラー４１で反射された光学像を背面側で受光し、前面側に画像として表示可能な透過型のスクリーン４２とを備えている。また、筐体１０の前面で、上側排気口１５ａと下側排気口１５ｂとの間には、透明な耐熱ガラス等からなる窓部４４が備えられ、暖房機１の前方から、窓部４４を通してスクリーン４２を視認可能になっている。【選択図】  図１
2006084169.tif 000002
【特許請求の範囲】
【請求項１】
光源と、入力される画像データに基づいて前記光源からの光を変調し光学像を形成する電気光学装置と、前記電気光学装置により形成された前記光学像を投写する投写部とを有するプロジェクタと、
前記プロジェクタから投写された光学像を受光して画像を表示可能なスクリーンと、
を収納する筐体を備えた暖房機であって、
前記画像データは燃焼状態を表す画像データであり、前記電気光学装置に、前記画像データを順次入力することによって、前記スクリーンに燃焼状態を表す動画像を表示可能であることを特徴とする暖房機。
【請求項２】
請求項１に記載の暖房機において、
前記筐体は、前記スクリーンに表示された動画像を視認可能な窓部を備え、前記スクリーンは、前記窓部から所定の間隔を隔てた後方に配置されることを特徴とする暖房機。
【請求項３】
請求項１又は２に記載の暖房機において、
前記スクリーンは、前記窓部に対して表示面が上方に傾けられて配置されることを特徴とする暖房機。
【請求項４】
請求項１〜３のいずれか１項に記載の暖房機において、
前記筐体の内部及び前記筐体の周辺の少なくともいずれか１つの環境状態を検出可能な状態検出部を備え、前記状態検出部からの検出結果に応じて前記画像データが変更され、前記スクリーンに燃焼状態を表す動画像が変更表示されることを特徴とする暖房機。
【請求項５】
請求項１〜４のいずれか１項に記載の暖房機において、
前記画像データを変更可能な操作部を備え、前記操作部に対する操作に応じて、前記スクリーンに燃焼状態を表す動画像が変更表示されることを特徴とする暖房機。
【請求項６】
請求項１〜５のいずれか１項に記載の暖房機において、前記光源は、固体光源により構成されていることを特徴とする暖房機。
【請求項７】
請求項１〜６のいずれか１項に記載の暖房機において、
前記筐体は、前記筐体外部の空気を吸入する吸気口と、前記吸気口から吸入された空気を加熱するための加熱部と、前記加熱部で加熱された空気を排出する排気口と、前記吸気口からの空気の吸入及び前記排気口からの空気の排出を行う送風部とを備え、
前記プロジェクタは、前記光源及び前記電気光学装置の放熱部を前記吸気口の近傍に配設し、
前記送風部は、前記吸気口から吸入した空気が前記放熱部からの熱を受熱して前記加熱部に送られるように送風するとともに、前記加熱部で加熱された空気が前記排気口から排出されるように送風することを特徴とする暖房機。
【請求項８】
請求項１〜７のいずれか１項に記載の暖房機において、
前記画像データを記憶する画像記憶部を備え、前記電気光学装置は、前記画像記憶部からの前記画像データに基づいて順次光学像を形成することにより燃焼状態を表す動画像を前記スクリーンに表示することを特徴とする暖房機。
【請求項９】
請求項１〜８のいずれか１項に記載の暖房機において、
前記画像データは、複数種類の炎を表す静止画像データであって、当該画像データを記憶する前記画像記憶部と、
前記画像記憶部からの前記画像データを合成して合成画像データを生成する画像生成部とを有し、
前記電気光学装置は、前記画像生成部からの前記合成画像データに基づいて、順次光学像を形成することにより燃焼状態を表す動画像を前記スクリーンに表示することを特徴とする暖房機。
【請求項１０】
請求項８又は９に記載の暖房機において、
前記画像記憶部は、交換可能な記憶媒体に前記画像データを記憶していることを特徴とする暖房機。
【請求項１１】
請求項１〜１０のいずれか１項に記載の暖房機において、前記筐体の上面に載置される被調理物を加熱可能な加熱調理部を備えたことを特徴とする暖房機。
【請求項１２】
請求項１１に記載の暖房機において、前記加熱調理部の熱源は、暖房のための熱源と同一であることを特徴とする暖房機。
【発明の詳細な説明】
【技術分野】
【０００１】
本発明は、擬似的な炎を表示可能な暖房機に関する。
【背景技術】
【０００２】
電気式暖房機、或いは灯油やガス等を燃料とする暖房機において、薪ストーブや暖炉の風情を出すために、擬似的な炎を表示可能な表示部を備えた暖房機が提案されている（例えば、特許文献１）。
【０００３】
特許文献１に記載の暖房機は、電気式温風暖房機にスクリーンを備え、送風空気によって揺動する反射テープに、光源としての赤外電球の光を反射させてスクリーンに投影することにより炎を表現するとともに、スクリーンの前方に薪の模型を配置して、薪が燃えている様子を擬似的に表現している。
【０００４】
【特許文献１】特開平９−３０３８７８号公報
【発明の開示】
【発明が解決しようとする課題】
【０００５】
しかしながら、前記暖房機の構成においては、炎の形状や大きさは、反射テープの形状や大きさによって規定され、炎の色は、光源の色に規定される。さらに、炎の動作は送風空気による単調な動作を繰り返すのみである。このため、現実の炎を模するには表現力に欠けるとともに、薪が燃え崩れたり、熾や灰に変化したりといったリアルな燃焼状態を表現することができないという問題を有していた。
【０００６】
本発明は上記問題を鑑みてなされたものであり、その目的は、擬似的な燃焼状態を、写実的に表示することが可能な暖房機を提供することにある。
【課題を解決するための手段】
【０００７】
本発明の暖房機は、光源と、入力される画像データに基づいて前記光源からの光を変調し光学像を形成する電気光学装置と、前記電気光学装置により形成された前記光学像を投写する投写部とを有するプロジェクタと、前記プロジェクタから投写された光学像を受光して画像を表示可能なスクリーンとを収納する筐体を備えた暖房機であって、前記画像データは燃焼状態を表す画像データであり、前記電気光学装置に、前記画像データを順次入力することによって、前記スクリーンに燃焼状態を表す動画像を表示可能であることを特徴とする。
【０００８】
これによれば、入力される画像データに基づいて光学像を形成する電気光学装置を備えているため、リアルな燃焼状態を表す画像データを順次入力することによって、暖房機に写実的な燃焼状態を表す動画像を表示させることが可能となる。
【０００９】
この暖房機において、前記筐体は、前記スクリーンに表示された動画像を視認可能な窓部を備え、前記スクリーンは、前記窓部から所定の間隔を隔てた後方に配置されることが望ましい。
【００１０】
これによれば、窓部から所定の距離を隔てた後方に、燃焼状態を表示するスクリーンが備えられているため、使用者の見る位置（視角方向）によって、窓部から視認可能なスクリーンの範囲が異なることになる。このため、使用者に立体感を感じさせることが可能となり、現実の薪ストーブや暖炉に模した暖房機を得ることが可能となる。
【００１１】
この暖房機において、前記スクリーンは、前記窓部に対して表示面が上方に傾けられて配置されることが望ましい。
【００１２】
暖房機は、床面に備えられる場合が多いため、スクリーンが床面と垂直に備えられていると、使用者が高い位置（立った状態）から表示画像を見下ろした場合に、スクリーンに対して視角が大きくなってしまい、表示画像の視認が困難になる恐れがある。しかしながら、本発明の暖房機によれば、スクリーンが表示面を上方に傾けて備えられているため、見る高さによって視角が極端に大きくなることはなく、見る高さに拘わらず適度な視認性を確保することが可能となる。
【００１３】
この暖房機において、前記筐体の内部及び前記筐体の周辺の少なくともいずれか１つの環境状態を検出可能な状態検出部を備え、前記状態検出部からの検出結果に応じて前記画像データが変更され、前記スクリーンに燃焼状態を表す動画像が変更表示されることが望ましい。
【００１４】
これによれば、暖房機の動作状態や燃料の残量、或いは室温等、暖房機やその周辺環境の各種状態を検出可能な状態検出部を備え、その検出結果に応じて、表示する動画像を変更可能になっている。このため、実際の動作状態等に応じて、表示する炎の大きさや薪の状態等を変更することが可能となり、現実の薪ストーブや暖炉の燃焼状態に模した表現が可能となる。さらに、表示される動画像によって、暖房機の状態等を認識することが可能となる。
【００１５】
この暖房機において、前記画像データを変更可能な操作部を備え、前記操作部に対する操作に応じて、前記スクリーンに燃焼状態を表す動画像が変更表示されることが望ましい。
【００１６】
これによれば、操作部に対する操作に応じて表示する動画像を変更可能であるため、例えば、暖房動作の開始や停止の操作に応じて、着火や鎮火を表現することが可能となり、現実の薪ストーブや暖炉の燃焼状態に模した表現が可能となる。
【００１７】
この暖房機において、前記光源は、固体光源により構成されていることが望ましい。
【００１８】
これによれば、高圧水銀ランプ等の放電型光源ランプと比較して小型で、消費電力が低く、さらに寿命（総点灯可能時間）が長い固体光源を光源に用いているため、暖房機の大型化を抑制することが可能となるうえ、暖房機のランニングコストを低減することが可能となる。
【００１９】
この暖房機において、前記筐体は、前記筐体外部の空気を吸入する吸気口と、前記吸気口から吸入された空気を加熱するための加熱部と、前記加熱部で加熱された空気を排出する排気口と、前記吸気口からの空気の吸入及び前記排気口からの空気の排出を行う送風部とを備え、前記プロジェクタは、前記光源及び前記電気光学装置の放熱部を前記吸気口の近傍に配設し、前記送風部は、前記吸気口から吸入した空気が前記放熱部からの熱を受熱して前記加熱部に送られるように送風するとともに、前記加熱部で加熱された空気が前記排気口から排出されるように送風することが望ましい。
【００２０】
これによれば、吸気口から吸入された空気で光源及び電気光学装置を冷却し、光源及び電気光学装置の熱を吸収した空気を加熱部で加熱して外部に排出している。即ち、光源及び電気光学装置が発する熱を暖房用に再利用しているため、エネルギーの消費を抑制することが可能となる。
【００２１】
この暖房機において、前記画像データを記憶する画像記憶部を備え、前記電気光学装置は、前記画像記憶部からの前記画像データに基づいて順次光学像を形成することにより燃焼状態を表す動画像を前記スクリーンに表示することが望ましい。
【００２２】
これによれば、暖房機が画像記憶部を備え、画像記憶部に記憶された画像データに基づいた動画像をスクリーンに表示するため、燃焼状態を表す動画像を容易に表示することが可能となる。
【００２３】
この暖房機において、前記画像データは、複数種類の炎を表す静止画像データであって、当該画像データを記憶する前記画像記憶部と、前記画像記憶部からの前記画像データを合成して合成画像データを生成する画像生成部とを有し、前記電気光学装置は、前記画像生成部からの前記合成画像データに基づいて、順次光学像を形成することにより燃焼状態を表す動画像を前記スクリーンに表示することが望ましい。
【００２４】
これによれば、複数種類の静止画像データを元に、異なる合成画像データを順次生成する画像生成部を備えているため、容量の大きな動画像データを記憶する必要がなく、暖房機の製造コストを低減することが可能となる。さらに、合成する静止画像データの組み合わせを種々変更することによって、様々な燃焼状態を表現することが可能となる。
【００２５】
この暖房機において、前記画像記憶部は、交換可能な記憶媒体に前記画像データを記憶していてもよい。
【００２６】
これによれば、燃焼状態を表す画像データが、交換可能な記憶媒体に記憶されているため、記憶媒体を交換することによって、様々な趣の燃焼状態を表示することが可能となり、表現の単調さを抑制することが可能となる。
【００２７】
この暖房機において、前記筐体の上面に載置される被調理物を加熱可能な加熱調理部を備えていることが望ましい。
【００２８】
この暖房機によれば、現実の薪ストーブと同様、筐体の上面で調理を行うことが可能となるため、現実の薪ストーブにより近似した暖房機を実現することが可能となる。
【００２９】
この暖房機において、前記加熱調理部の熱源は、暖房のための熱源と同一であることが望ましい。
【００３０】
この暖房機によれば、調理を行う加熱調理部の熱源が、暖房のための熱源（加熱部）と同一であるため、暖房機の構成を簡略化することが可能となるとともに、エネルギーの利用効率が向上する。
【発明を実施するための最良の形態】
【００３１】
（第１実施形態）
以下、本発明の第１実施形態の暖房機ついて、図面を参照して説明する。図１は、本実施形態の暖房機を示す断面図である。
【００３２】
本実施形態の暖房機１は、いわゆる蓄熱式暖房機であり、電力によって蓄熱体を加熱して熱を蓄えた後に、外部から取り込んだ空気を、蓄熱体の周辺を経由して排気させることによって、温風を排出可能になっている。蓄熱式暖房機は、蓄熱と暖房とを時間を隔てて行うことが可能であるため、大きな電力を必要とする蓄熱動作を、電気料金が割安で、且つ、暖房を必要としない深夜の時間帯に行うことができる。
【００３３】
図１に示すように、暖房機１は、略直方体形状の筐体１０を有しており、筐体１０の下面部１０ａには、床面と当接して筐体１０を支持する脚部１１が備えられている。筐体１０の内部の後方（図面右方向）には、蓄熱体１２と、蓄熱体１２を加熱する発熱部１３とを備えている。蓄熱体１２は、例えば、酸化鉄や酸化マグネシウム等で構成され、発熱部１３から与えられた熱を長時間蓄えることが可能であるとともに、蓄えた熱を少しずつ放熱することによって、蓄熱体１２の周辺の空気を加熱する加熱部として機能する。
【００３４】
筐体１０の下面部１０ａには、筐体１０の外部から空気を吸入するための吸気口１４が設けられ、筐体１０の前面部１０ｂには、筐体１０の内部から空気を排出するための上側排気口１５ａ及び下側排気口１５ｂが設けられている。吸気口１４と各排気口１５ａ，１５ｂとは、筐体１０内に形成された風路１６によって連通しており、筐体１０内の後方下側で、風路１６の途中に備えられた送風部としてのファン１７の回転によって、風路１６内の空気の移動、及びこれに伴う給排気とが行われる。風路１６は、筐体１０の内壁面と、蓄熱体１２の外面、及び筐体１０の内部に形成された断熱材料からなる仕切体１８等によって構成されている。
【００３５】
ファン１７の回転によって、吸気口１４から内部に吸入された空気Ａは、風路１６に沿って後方に送られた後、蓄熱体１２と筐体１０の背面部１０ｄ、或いは蓄熱体１２と仕切体１８の鉛直部１８ａとで挟まれた空間を通って上方に送られる。このとき、空気Ａは、蓄熱体１２からの熱を受けて加熱される。これによって加熱された空気Ａは、筐体１０の上面部１０ｃに沿って前方に送られた後、空気Ａの一部は、上側排気口１５ａから温風として排出されるとともに、空気Ａの他の一部は、スクリーン４２が配設される仕切体１８の傾斜部１８ｂに沿って移動し、下側排気口１５ｂから排出される。
【００３６】
ここで、筐体１０の内部には、暖房機１を薪ストーブに模するため、写実的な炎の映像を表示することが可能な画像表示装置が備えられている。具体的には、筐体１０の下部に備えられ、光学像を射出可能なプロジェクタ４０と、プロジェクタ４０から射出された光学像を反射する反射ミラー４１と、反射ミラー４１で反射された光学像を背面側で受光し、前面側に画像として表示可能な透過型のスクリーン４２とを備えている。また、筐体１０の前面で、上側排気口１５ａと下側排気口１５ｂとの間には、透明な耐熱ガラス等からなる窓部４４が備えられ、暖房機１の前方から、窓部４４を通してスクリーン４２を視認可能になっている。
【００３７】
反射ミラー４１は、仕切体１８の鉛直部１８ａの窓部４４側の面に備えられ、アルミニウムやアルミ蒸着板等からなっている。また、反射ミラー４１とプロジェクタ４０との間には、蓄熱体１２の熱からプロジェクタ４０を保護するための耐熱ガラス４３が備えられている。
【００３８】
スクリーン４２は、仕切体１８の傾斜部１８ｂに設けられた前方から見て略長方形形状の開口部１８ｃに備えられており、その表示面（窓部４４側の面）は、上向きに約２０°の傾斜角を有している。スクリーン４２は、耐熱ガラス等で構成され、表示面側には、映り込み（グレア）を防止するためのビーズコーティングや微小ディンプル加工、或いは擦りガラス加工等が施されており、その背面（反射ミラー４１側の面）には、カーボン粒子等が塗布されている。
【００３９】
プロジェクタ４０は、反射ミラー４１に向けて光学像を射出するように配置されている。プロジェクタ４０から射出された光学像は、耐熱ガラス４３を透過した後、反射ミラー４１によって反射されて、スクリーン４２の背面で結像するようになっている。スクリーン４２は、透過型であるため、背面に投写された画像を前方から視認することができる。
【００４０】
ここで、スクリーン４２は、窓部４４より奥まった方向（後方）に、窓部４４と所定の間隔を隔てて備えられているため、使用者の見る位置（視角方向）によって、窓部４４から視認可能なスクリーン４２の範囲が異なることになり、使用者に立体感を感じさせることができるようになっている。なお、窓部４４とスクリーン４２との間隔は、実際の薪ストーブにおける薪や炎の位置を考慮して定めればよい。
【００４１】
プロジェクタ４０は、光源として、固体光源を使用しており、本実施形態では、複数のＬＥＤ（Light Emitting Diode：発光ダイオード）がマトリクス状に配列されたＬＥＤ光源４５を用いている。また、プロジェクタ４０には、ＬＥＤ光源４５及び後述する電気光学装置４７（図２参照）から発せられる熱の放熱性を高めるために、プロジェクタ４０の外部に突出するように放熱部としての放熱フィン４６が備えられている。放熱フィン４６は、吸気口１４の近傍に備えられており、吸気口１４から吸入した空気Ａに対して放熱するようになっている。
【００４２】
図２は、本実施形態の暖房機１の回路構成を示すブロック図である。
【００４３】
図２に示すように、暖房機１は、主制御部２０を備えており、主制御部２０は、バス２１を介して、前述した発熱部１３、ファン１７、及びプロジェクタ４０に加えて、主記憶部２２と、状態検出部としての室温検出部２３及び蓄熱量検出部２４と、操作部２５と、タイマ２６とを制御可能になっている。
【００４４】
主記憶部２２には、暖房機１の制御プログラムが記憶されており、主制御部２０は、この制御プログラムに従って暖房機１の動作を制御する。また、主記憶部２２には、暖房機１の各種状態を表す設定値等が記憶されている。
【００４５】
室温検出部２３は、筐体１０の外側に備えられた図示しない温度センサを有しており、室温を検出可能であるとともに、室温と設定温度との比較を行うことができる。蓄熱量検出部２４は、蓄熱体１２に蓄えられた熱量を検出可能である。
【００４６】
操作部２５は、暖房動作の開始及び停止、温度設定、現在時刻の設定、或いは、暖房動作の開始や停止を予約するための予約時刻の設定等を操作可能なスイッチ等からなっている。
【００４７】
タイマ２６は、現在時刻を保持するとともに、現在時刻が予約時刻に達したか否かを検知することができる。
【００４８】
プロジェクタ４０は、表示制御部５０と、画像記憶部５１と、画像処理部５２とを備えており、これらは、バス５３によって互いに接続されている。表示制御部５０は、バス２１を介して主制御部２０の指示を受けると、バス５３を介して、画像記憶部５１及び画像処理部５２の動作を制御する。
【００４９】
本実施形態の画像記憶部５１には、表示制御部５０が実行する制御プログラムが記憶されているとともに、薪が燃焼している様子をコンピュータグラフィックスによって再現した動画像データが記憶されている。表示制御部５０は、この動画像データを画像記憶部５１から読み出して、画像処理部５２に送る。
【００５０】
画像処理部５２は、読み出された動画像データに対して、画像の伸縮や、画質の調整等の画像処理を施した後に、電気光学装置４７に動画像データを供給する。
【００５１】
電気光学装置４７は、ライトバルブ駆動部５４と液晶ライトバルブ５５とから構成されている。ライトバルブ駆動部５４は、この動画像データに応じて、液晶ライトバルブ５５を駆動する。液晶ライトバルブ５５は、マトリクス状に配列された多数の画素を備えており、ＬＥＤ光源４５から射出された光を画素毎に変調して光学像を形成する。液晶ライトバルブ５５から投写レンズ５６を介して射出された光学像は、反射ミラー４１（図１参照）で反射された後、スクリーン４２の背面で結像する。これにより、スクリーン４２の前面から、燃焼状態を表す画像を視認することができるようになる。
【００５２】
図３は、ＬＥＤ光源４５及び液晶ライトバルブ５５の詳細を説明する説明図である。
【００５３】
図３に示すように、本実施形態のＬＥＤ光源４５は、それぞれ波長域の異なる３色（赤、緑、青）の色光Ｒ，Ｇ，Ｂを発する３つのＬＥＤ光源４５Ｒ，４５Ｇ，４５Ｂからなっている。各ＬＥＤ光源４５Ｒ，４５Ｇ，４５Ｂから射出した色光Ｒ，Ｇ，Ｂは、ミラー５７によって反射された後、３つの液晶ライトバルブ５５Ｒ，５５Ｇ，５５Ｂにそれぞれ照射される。液晶ライトバルブ５５Ｒ，５５Ｇ，５５Ｂによって色光毎に変調された変調光は、クロスダイクロイックプリズム５８によって合成されて、カラーの光学像が形成され、これが投写レンズ５６を介してスクリーン４２に投写される。
【００５４】
なお、それぞれ波長域の異なる３色（赤、緑、青）の色光Ｒ，Ｇ，Ｂを発する３つのＬＥＤ光源４５Ｒ，４５Ｇ，４５Ｂを備える代わりに、白色のＬＥＤ光源と、白色光を波長域の異なる３色（赤、緑、青）の色光Ｒ，Ｇ，Ｂに分離可能な色光分離部とを備え、ＬＥＤ光源から発した光を、色光分離部によって分離した後に、３つの液晶ライトバルブ５５Ｒ，５５Ｇ，５５Ｂに入射するようにしてもよい。
【００５５】
ここで、画像記憶部５１に記憶された動画像データは、多数の静止画像データからなっており、プロジェクタ４０は、これらの静止画像データに基づく光学像を、例えば、１秒間に１５フレーム（１５の静止画像）の頻度で、順次スクリーン４２に投写することによって、動画像を表示することができる。この動画像データには、例えば、新しい薪に着火した直後の様子や、炎が徐々に燃え広がって大きくなる様子、燃焼に伴って薪が燃え崩れたり、熾や灰に変化したりする様子、さらには、前記薪の変化に伴って炎が徐々に小さくなり、鎮火するまでの様子等、様々な燃焼状態を表す映像が収められている。
【００５６】
表示制御部５０は、この動画像データの中から１つの静止画像データを特定可能なインデックス（アドレス）を指定することによって、特定の静止画像データから始まる動画像をスクリーン４２に表示することができ、これによって、任意の燃焼状態を表示することができるようになっている。
【００５７】
次に、暖房機１の動作について詳述する。図４は、暖房機１の蓄熱動作及び暖房動作に関わる動作を示すフローチャートである。
【００５８】
操作部２５の電源スイッチを操作することによって、暖房機１は動作状態となり、ステップＳ１０１では、主制御部２０が、主記憶部２２に記憶された制御プログラムに従って、暖房機１の各部を初期化するとともに、発熱部１３を動作させて蓄熱体１２の加熱を開始する。蓄熱体１２に所定量の熱量が蓄えられると、暖房機１は、暖房動作を行うことが可能となる。
【００５９】
ここで、各状態検出部２３，２４、操作部２５、タイマ２６は、特定の事象の発生や状態の変化に応じて信号（イベント）を発生し、主制御部２０に通知する。例えば、室温検出部２３においては、室温と設定温度との温度差が所定値を上回ったり、下回ったりした場合、蓄熱量検出部２４においては、蓄熱体１２の蓄熱残量が所定の値を下回った場合、操作部２５においては、暖房動作の開始や停止等の操作がなされた場合、タイマ２６においては、現在時刻が暖房動作の開始や停止を行うための予約時刻に達した場合等にイベントを発生させる。
【００６０】
ステップＳ１０２では、主制御部２０が、各状態検出部２３，２４、操作部２５、タイマ２６において、イベントが発生したか否かを判断する。イベントが発生した場合には、ステップＳ１０３に移行し、発生していない場合には、ステップＳ１０２を繰り返す。
【００６１】
イベントが発生し、ステップＳ１０３に移行した場合には、主制御部２０は、イベントに応じた暖房動作を行う。例えば、操作部２５やタイマ２６による暖房動作の開始を示すイベントの場合には、ファン１７の回転を開始し、暖房動作の停止を示すイベントの場合には、ファン１７の回転を停止する。さらに、室温が設定温度より大きく下回っている場合には、ファン１７の回転を早めて暖房効果を高め、室温が設定温度に近い場合には、ファン１７の回転を遅くする。上記のような各種暖房動作を実行した後、ステップＳ１０４に移行する。
【００６２】
ステップＳ１０４では、主制御部２０が、発生したイベントに応じたパラメータを含む信号（コマンド）を、プロジェクタ４０の表示制御部５０に対して発信し、画像の表示を指示する。その後、ステップＳ１０２に戻り、上記動作を繰り返す。
【００６３】
図５は、プロジェクタ４０の動作を示すフローチャートである。
【００６４】
ステップＳ１１１では、電源スイッチが操作されて、暖房機１が動作状態となるのに連動して、表示制御部５０は、画像記憶部５１に記憶された制御プログラムに従って、プロジェクタ４０の各部の初期化を行う。このとき、スクリーン４２は非表示（例えば、全面が黒色）の状態となる。
【００６５】
ステップＳ１１２では、表示制御部５０が、主制御部２０からコマンドを受信したか否かを判断する。コマンドを受信した場合には、ステップＳ１１３に移行し、受信していない場合には、ステップＳ１１２を繰り返す。
【００６６】
ステップＳ１１３に移行した場合には、表示制御部５０は、受信したコマンドに含まれるパラメータに応じて、インデックスを設定し、前記インデックスで特定される静止画像から始まる動画像をスクリーン４２に表示する。表示制御部５０は、前記動画像をスクリーン４２に表示させた状態で、ステップＳ１１２に戻り、次のコマンドが発信されるのを待つ。
【００６７】
次に、図４及び図５で示したフローチャートに基づく動作を、具体例とともに説明する。
【００６８】
操作部２５やタイマ２６によって、暖房動作の開始を示すイベントが発生した場合には、主制御部２０は、ファン１７を回転させて、暖房動作を開始するとともに、室温検出部２３から設定温度と室温との温度差情報を取得する。その後、表示制御部５０に、暖房動作の開始を示すパラメータと、温度差情報を示すパラメータとを含むコマンドを送信する。表示制御部５０は、前記コマンドを受信すると、設定温度と室温との温度差が所定値以内か否かを判断し、温度差が所定値を超えていれば、新しい薪に着火して炎が徐々に大きくなる様子を示す動画像をスクリーン４２に表示し、温度差が所定値以内であれば、薪の燃焼がある程度進行した状態を示す動画像を表示する。
【００６９】
また、操作部２５を操作して設定温度を変更する等により、室温と設定温度との温度差が所定値を上回ったり、下回ったりしたことを室温検出部２３が検知し、イベントを発生させた場合には、主制御部２０は、ファン１７の回転を早めたり、遅くしたりするとともに、表示制御部５０にその旨を示すコマンドを送信する。表示制御部５０は、前記コマンドを受信すると、ファン１７の回転を早めた場合には、炎が次第に大きくなる様子を示す動画像を表示し、ファン１７の回転を遅くした場合には、炎が略一定の大きさで燃焼する様子を示す動画像を表示する。
【００７０】
また、蓄熱量検出部２４によって、蓄熱体１２の蓄熱残量が所定の値を下回ったことを示すイベントが発生した場合には、主制御部２０は、表示制御部５０にその旨を示すコマンドを送信する。表示制御部５０は、前記コマンドを受信すると、薪が熾から灰に変化し、鎮火に向かって炎が徐々に小さくなっていく様子を示す動画像を表示する。
【００７１】
操作部２５やタイマ２６によって、暖房動作の停止を示すイベントが発生した場合には、主制御部２０は、ファン１７の回転を停止するとともに、表示制御部５０に対して、鎮火する様子を示す動画像の表示を指示するコマンドを発行する。
【００７２】
以上説明したように、本実施形態の液晶表示装置の製造方法によれば、以下の効果を得ることができる。
【００７３】
（１）本実施形態の暖房機１によれば、入力される画像データに基づいて光学像を形成する電気光学装置を備えているため、リアルな燃焼状態を表す画像データを順次入力することによって、暖房機に写実的な燃焼状態を表す動画像を表示させることが可能となる。
【００７４】
（２）本実施形態の暖房機１によれば、暖房機１の前面に備えられた窓部４４から所定の距離を隔てた後方に、燃焼状態を表示するスクリーン４２が備えられているため、使用者の見る位置（視角方向）によって、窓部４４から視認可能なスクリーン４２の範囲が異なることになる。このため、使用者に立体感を感じさせることが可能となり、現実の薪ストーブに模した暖房機１を得ることが可能となる。
【００７５】
（３）本実施形態の暖房機１によれば、スクリーン４２が表示面を約２０°上方に傾けて備えられている。このため、スクリーン４２が床面と垂直に備えられている場合に比べて、高い位置から表示画像を見下ろした際のスクリーン４２に対する視角が極端に大きくなるのを抑制することが可能となる。この結果、見る位置（高さ）に拘わらず、適度な視認性を確保することが可能となる。
【００７６】
（４）本実施形態の暖房機１によれば、室温検出部２３を備え、室温検出部２３で検出された室温と、設定温度との温度差に応じて、暖房動作（ファン１７の回転）を制御するとともに、ファン１７の回転に応じた動画像を表示するようにしているため、現実の薪ストーブに模した表現が可能となる。
【００７７】
（５）本実施形態の暖房機１によれば、蓄熱量を検出可能な蓄熱量検出部２４を備え、蓄熱量検出部２４で検出された蓄熱残量に応じて、表示する動画像を変更するようにしているため、表示される動画像によって蓄熱残量を認識することが可能となる。
【００７８】
（６）本実施形態の暖房機１によれば、暖房動作の開始や停止の操作に応じて、それぞれ着火や鎮火を表現したりする等、操作部２５に対する操作に応じて表示する動画像を変更可能であるため、現実の薪ストーブに模した表現が可能となる。
【００７９】
（７）本実施形態の暖房機１によれば、高圧水銀ランプ等の放電型光源ランプと比較して小型で、消費電力が低く、さらに寿命（総点灯可能時間）が長い固体光源（ＬＥＤ）を光源に用いているため、暖房機１の大型化を抑制することが可能となるうえ、暖房機１のランニングコストを低減することが可能となる。
【００８０】
（８）本実施形態の暖房機１によれば、吸気口１４から吸入された空気ＡでＬＥＤ光源４５及び電気光学装置４７を冷却し、ＬＥＤ光源４５及び電気光学装置４７の熱を吸収した空気を蓄熱体１２で加熱して外部に排出している。即ち、ＬＥＤ光源４５及び電気光学装置４７が発する熱を暖房用に再利用しているため、エネルギーの消費を抑制することが可能となる。
【００８１】
（９）本実施形態の暖房機１によれば、画像記憶部５１を備え、画像記憶部５１に記憶された動画像データに基づいた動画像をスクリーンに表示可能であるため、燃焼状態を表す動画像を容易に表示することが可能となる。
【００８２】
（１０）本実施形態の暖房機１によれば、擬似的な燃焼状態を表示する画像表示装置として、電気光学装置で形成された光学像を離れた位置に備えられたスクリーン４２に投写可能なプロジェクタ４０を用いている。このため、液晶表示装置や有機エレクトロルミネッセンス表示装置等のように、画像を形成する電気光学装置と表示体とが一体となった画像表示装置とは異なり、電気光学装置を備える位置が、表示体（スクリーン４２）を備える位置によって限定されることがない。この結果、暖房機１の熱によってダメージを受けやすい電気光学装置を、熱源から離れた位置に配置することが可能となるとともに、筐体１０の内部空間を有効に活用することが可能となり、暖房機１を小型化することが可能となる。
【００８３】
（第２実施形態）
本発明の第２実施形態を、図面を参照して説明する。図６は、暖房機１のスクリーン４２に表示される動画像を説明する説明図であり、（ａ）は、画像記憶部５１に記憶されている静止画像データに基づいた静止画像の例を示す図、（ｂ）は、前記静止画像データを画像処理後に合成した合成画像の例を示す図である。
【００８４】
本実施形態の画像記憶部５１には、動画像データは記憶されておらず、図６（ａ）に例を示すように、様々な炎の状態を表す多種類の静止画像データと、様々な薪の状態を表す多種類の静止画像データが記憶されている。
【００８５】
表示制御部５０は、暖房機１においてイベントが発生し、主制御部２０からコマンドを受信すると、前記コマンドに応じて、画像記憶部５１に記憶されている薪の状態を表す静止画像データと、炎の状態を表す複数の静止画像データとを読み出して、画像処理部５２に供給する。
【００８６】
画像処理部５２は、供給された炎の状態を表す静止画像データに対して、コマンド、つまり、表示すべき炎の状態に応じて、拡大・縮小、特定方向への伸縮、色の調整等の画像処理を行う。さらに、供給された薪の状態を表す１つの静止画像データに対して、画像処理された炎の静止画像データを、表示すべき炎の状態に応じて配置することにより、薪と炎の静止画像データを合成した合成画像データを生成する。即ち、本実施形態の画像処理部５２は、画像生成部として機能する。このとき、合成する炎の静止画像データの数に限りはなく、１つでも複数であってもよいし、鎮火後の状態を示す際には、炎の静止画像データは合成されない。また、同一の炎の静止画像データを、異なる位置に複数個配置することも可能である。
【００８７】
生成された合成画像データは、ライトバルブ駆動部５４に入力され、図６（ｂ）に示すように、薪と炎とが合成された画像がスクリーン４２に表示される。
【００８８】
その後、画像処理部５２は、前記合成画像データに僅かな変化をつけた新たな合成画像データを生成してスクリーン４２に表示し、これを、例えば、１秒間に１５フレームの頻度で繰り返すことによって、炎が動いている様子を表現する。このとき、合成画像データを構成する静止画像データの少なくとも１つに対して、拡大率や伸張率、色、配置を変えたり、或いは、合成する静止画像データの種類を増減したり、配置する静止画像データの個数を変えたりすることによって、合成画像データに変化をつけることが可能である。
【００８９】
暖房機１において、他のイベントが発生し、新たなコマンドが送信された際には、表示制御部５０は、前記コマンドに応じて、異なる組み合わせの静止画像データを読み出して画像処理を施した後、合成してスクリーン４２に表示する。
【００９０】
本実施形態の暖房機１によれば、複数種類の静止画像データを元に、異なる合成画像データを順次生成する画像生成部（画像処理部５２）を備えているため、容量の大きな動画像データを記憶する必要がなく、暖房機１の製造コストを低減することが可能となる。さらに、合成する静止画像データの組み合わせを種々変更することによって、様々な燃焼状態を表現することが可能となる。
【００９１】
（第３実施形態）
本発明の第３実施形態を、図面を参照して説明する。図７は、本実施形態の暖房機を示す断面図である。
【００９２】
図７に示すように、本実施形態の暖房機１は、筐体１０の上部に加熱調理部６１を備えており、筐体１０の上面（上面部１０ｃ上）に載置される被調理物Ｆの加熱や湯沸しが可能になっている点で、第１実施形態の暖房機と異なっている。
【００９３】
加熱調理部６１としては、例えば、ニクロム線等を利用した電熱器や、電磁誘導加熱器（ＩＨ：Induction Heating）等を用いることができる。
【００９４】
本実施形態の暖房機１によれば、現実の薪ストーブと同様、筐体１０の上面（上面部１０ｃ上）で調理や湯沸し等を行うことが可能となるため、現実の薪ストーブにより近似した暖房機を実現することが可能となる。
【００９５】
（第４実施形態）
本発明の第４実施形態を、図面を参照して説明する。図８は、本実施形態の暖房機を示す断面図である。
【００９６】
前記第１〜第３実施形態の暖房機が、空気を加熱する加熱部として蓄熱体１２を用いているのに対し、本実施形態の暖房機１は、図８に示すように、灯油やガスを燃焼させて空気を加熱するヒータ６２を加熱部として備えている。
【００９７】
本実施形態では、筐体１０の上面部１０ｃは、鉄板等、熱伝導率の高い部材によって形成されており、ヒータ６２は、上面部１０ｃを加熱できるよう、上面部１０ｃの近傍下側に配置されている。また、ヒータ６２から排気口１５ａ，１５ｂに至る風路１６の途中には、空気Ａを上下に分岐する分岐板６３が備えられており、風路１６を通過する空気Ａのうち、ヒータ６２により加熱されて高温となった空気ほど、上面部１０ｃの近傍を通過しやすくなっている。このため、上面部１０ｃが効果的に加熱され、上面部１０ｃ上で調理や湯沸しを行うことが可能になっている。つまり、本実施形態では、ヒータ６２及び上面部１０ｃが、筐体１０の上面（上面部１０ｃ上）に載置された被調理物Ｆを加熱可能な加熱調理部として機能する。
【００９８】
本実施形態の暖房機１によれば、調理を行う加熱調理部の熱源として、暖房のための熱源であるヒータ６２を用いている。この結果、調理用の熱源を別途備える必要がないため、暖房機１の構成を簡略化することが可能となるとともに、エネルギーの利用効率を向上させることが可能となる。
【００９９】
（変形例）
なお、本発明の実施形態は、以下のように変更してもよい。
【０１００】
・前記第１実施形態の暖房機１において、画像記憶部５１に記憶された動画像データは、コンピュータグラフィックスによって生成された画像データであるが、実際の燃焼状態を撮影した、いわゆる実写の映像に基づいた動画像データであってもよい。
【０１０１】
・前記第１実施形態の暖房機１において、画像記憶部５１に記憶された動画像データは、多数の静止画像データからなっているが、１つの静止画像データ（キーフレーム）と、前記キーフレームに対して変化のある部分のみを記録した複数のデータとを含む集合データが複数組備えられた動画像データであってもよい。
【０１０２】
・前記実施形態の暖房機１において、イベントの発生と同時に表示内容を切り替えると、映像が不連続となって不自然な印象を与えるため、イベントの発生から徐々に燃焼状態を変化させていくことが望ましい。
【０１０３】
この場合、第１実施形態のように、動画像データに基づいた動画像を表示する構成においては、燃焼状態が徐々に変化する様子（状態遷移）を表す動画像データを別途用意し、これをイベント前後の動画像の間に挿入することによって、不連続な映像変化を抑制することができる。また、第２実施形態のように、静止画像データを順次合成して、動画像を表示する構成においては、画像処理部５２によって、イベント前後の合成画像データから、状態遷移を表す静止画像データを生成して表示するようにしてもよいし、第１実施形態と同様、状態遷移を表す動画像データを別途用意するようにしてもよい。
【０１０４】
・前記第１実施形態において、薪の種類等が異なる複数の動画像データを画像記憶部５１に記憶するようにしてもよいし、前記第２実施形態において、薪の種類等が異なる複数組の静止画像データを画像記憶部５１に記憶するようにしてもよい。
【０１０５】
さらに、この場合において、使用者の好みによって、薪の種類等を選択できるようにしてもよいし、ランダムに切り替えるようにしてもよい。或いは、室温検出部２３の他に、湿度センサや人感センサ等の状態検出部を備え、これらの検出結果に応じて表示画像を切り替えるようにしてもよい。
【０１０６】
・前記実施形態では、スクリーン４２の動画像を表示するための動画像データや静止画像データは、交換可能な記憶媒体に記憶するようにしてもよい。
【０１０７】
これによれば、記憶媒体を交換することによって、様々な趣の燃焼状態を表示することが可能となり、表現の単調さを抑制することが可能となる。
【０１０８】
・前記実施形態において、動画像データや静止画像データを記憶するための画像記憶部５１を備える代わりに、外部の電子機器と有線又は無線で通信可能な通信部を備え、この通信部をネットワーク等に接続することよって、外部の電子機器から動画像データや静止画像データを供給するようにしてもよい。
【０１０９】
これによれば、暖房機に画像データを記憶する記憶部を備える必要がなく、さらに、外部の電子機器から送信する画像データを種々変更することによって、暖房機が表示する燃焼状態に変化を付けることが可能となり、表現の単調さを抑制することが可能となる。
【０１１０】
・前記実施形態では、液晶ライトバルブ５５によって光の変調を行っているが、これに限られず、ＤＭＤ（登録商標）（デジタル・マイクロミラー・デバイス）等を用いてもよい。
【０１１１】
・前記実施形態では、固体光源としてＬＥＤを用いているが、他の固体光源であるエレクトロルミネッセンス（ＥＬ）や半導体レーザー（ＬＤ）等を用いてもよい。また、光源は、固体光源に限定されず、放電型光源ランプ等を用いてもよい。
【０１１２】
・前記第１〜第３実施形態では、加熱部として蓄熱体を用いる蓄熱式暖房機を例に説明しているが、赤外電球や電熱線によって空気を加熱する電気式暖房機や、第４実施形態に示した灯油やガスを燃焼させて空気を加熱するファンヒータ等、様々な暖房機に適用することが可能である。
【図面の簡単な説明】
【０１１３】
【図１】第１実施形態の暖房機を示す断面図。
【図２】暖房機の回路構成を示すブロック図。
【図３】ＬＥＤ光源及び液晶ライトバルブの詳細を説明する説明図。
【図４】暖房機の蓄熱動作及び暖房動作に関わる動作を示すフローチャート。
【図５】プロジェクタの動作を示すフローチャート。
【図６】暖房機のスクリーンに表示される動画像を説明する説明図であり、（ａ）は、画像記憶部に記憶されている静止画像データに基づく静止画像の例を示す図、（ｂ）は、前記静止画像データを画像処理後に合成した合成画像の例を示す図。
【図７】第３実施形態の暖房機を示す断面図。
【図８】第４実施形態の暖房機を示す断面図。
【符号の説明】
【０１１４】
１…暖房機、１０…筐体、１１…脚部、１２…蓄熱体、１３…発熱部、１４…吸気口、１５ａ，１５ｂ…排気口、１６…風路、１７…ファン、１８…仕切体、２０…主制御部、２１…バス、２２…主記憶部、２３…室温検出部、２４…蓄熱量検出部、２５…操作部、２６…タイマ、４０…プロジェクタ、４１…反射ミラー、４２…スクリーン、４４…窓部、４５，４５Ｒ，４５Ｇ，４５Ｂ…ＬＥＤ光源、４６…放熱フィン、４７…電気光学装置、５０…表示制御部、５１…画像記憶部、５２…画像処理部、５３…バス、５４…ライトバルブ駆動部、５５，５５Ｒ，５５Ｇ，５５Ｂ…液晶ライトバルブ、５６…投写レンズ、５７…ミラー、５８…クロスダイクロイックプリズム、６１…加熱調理部、６２…ヒータ、６３…分岐板。
【図１】
2006084169.tif 000003
【図２】
2006084169.tif 000004
【図３】
2006084169.tif 000005
【図４】
2006084169.tif 000006
【図５】
2006084169.tif 000007
【図６】
2006084169.tif 000008
【図７】
2006084169.tif 000009
【図８】
2006084169.tif 000010